(57)【要約】【課題】ベータ値の分布に基づく金融ポートフォリオ分析システムを提供し、金融ポートフォリオのリスク低減を実現すること。【解決手段】日経平均株価等の基準値に対するベータ値を計算し、時価総額で加重してヒストグラム表示する。ベータ値の分布に基づくリスク指標値を表示して有用な情報を提供する。リスク指標値としては尖度を用いることができる。ファンドマネージャが個別の金融商品を時価総額又は特定のベータ値の金融商品の時価総額を変更してシミュレーションを行う機能を提供する。【選択図】図１
2012168599.tif 000002
【特許請求の範囲】
【請求項１】
２以上の金融商品を組み合わせた金融ポートフォリオについて、
前記金融商品について基準値に対するベータ値を計算するベータ値計算手段と、
前記ベータ値の分布図を棒グラフとして表示するヒストグラム表示手段と、
２以上の金融商品について全体としてのベータ値（総合ベータ値）を計算する総合ベータ値計算手段とを備え、
前記ヒストグラム表示手段における棒グラフの棒の長さは前記金融ポートフォリオに組入れられた各金融商品の時価総額に比例し、
前記総合ベータ値計算手段は、各金融商品の指標値に対するベータ値を、前記２以上の金融商品のそれぞれが前記金融ポートフォリオに組入れられた時価総額によって加重平均した値を総合ベータ値とすることを特徴とする、金融ポートフォリオ分析システム。
【請求項２】
前記金融商品を前記金融ポートフォリオに買建で組入れられたものと売建で組入れられたものとに分割し、
前記ヒストグラム表示手段は前記買建で組入れられた金融商品と前記売建で組入れられた金融商品とについてそれぞれのヒストグラムを表示し、
前記総合ベータ値計算手段は前記買建で組入れられた金融商品と前記売建で組入れられた金融商品とについてそれぞれの総合ベータ値を計算することを特徴とする、請求項１に記載の金融ポートフォリオ分析システム。
【請求項３】
前記ベータ値として前記基準値が異なるもの又は前記基準値が同一で計算対象期間が異なるものを２種以上持ち、
前記ヒストグラム表示手段は前記２種以上のべータ値の全て又は一部についてそれぞれのヒストグラムを表示し、
前記総合ベータ値計算手段は前記２種以上のべータ値についてそれぞれの総合ベータ値を計算することを特徴とする、請求項１又は２に記載の金融ポートフォリオ分析システム。
【請求項４】
前記各金融商品の時価総額及び／又は前記ヒストグラム表示手段における棒グラフの棒の長さをユーザが入力するシミュレーション手段を備え、
前記ヒストグラム表示手段は前記シミュレーション手段によって入力された値を前記金融ポートフォリオに組入れられた各金融商品の時価総額とみなしてヒストグラムを表示し、
前記総合ベータ値計算手段は前記シミュレーション手段によって入力された値を前記金融ポートフォリオに組入れられた各金融商品の時価総額とみなして総合ベータ値を計算することを特徴とする、請求項１〜３のいずれか１項に記載の金融ポートフォリオ分析システム。
【請求項５】
前記ベータ値の分布に基づいて計算されるリスク指標値を計算して表示するリスク指標値表示手段を備えることを特徴とする、請求項１〜４のいずれか１項に記載の金融ポートフォリオ分析システム。
【請求項６】
前記各金融商品の時価総額及び／又は前記ヒストグラム表示手段における棒グラフの棒の長さをユーザが入力するシミュレーション手段を備え、
前記リスク指標値表示手段は前記シミュレーション手段によって入力された値を前記金融ポートフォリオに組入れられた各金融商品の時価総額とみなしてリスク指標値を計算して表示することを特徴とする、請求項５に記載の金融ポートフォリオ分析システム。
【請求項７】
前記リスク指標値は前記ベータ値の分布の尖度値であることを特徴とする、請求項５又は６に記載の金融ポートフォリオ分析システム。
【発明の詳細な説明】
【技術分野】
【０００１】
本発明は、２以上の金融商品を組み合わせた金融ポートフォリオについてそのリスクを分析する金融ポートフォリオ分析システムに関するものである。
【背景技術】
【０００２】
投資信託等では、２以上の金融商品を組み合わせた金融ポートフォリオを運用する。その運用に当たっては、日経平均株価、日本円と米ドルとの間の為替レートなどの基準値が急激に変動することによる運用資産の減少に備えたリスク管理が重要である。ファンドマネージャとも呼ばれる運用責任者は、リスクを許容できる範囲に抑えた中で利益を大きくするようにポートフォリオを構成し、更新する。
リスク管理に用いるリスクの指標としては、非特許文献１及び非特許文献２に示されるように、ベータ値が広く用いられている。ベータ値は、基準値の変動に対して金融商品の価格が感応して変動する割合を表すものであり、基準値の変動に対するリスクの度合いを表す指標となる。ポートフォリオ全体としてのベータ値が小さければリスクの小さい運用、大きければリスクを取っての積極的な運用と考えられる。
ベータ値を含む各種の値を分析するシステムは、特許文献１、特許文献２等、数多く提案されている。しかし、これらのシステムによるベータ値の扱いは、ポートフォリオ全体としてのベータ値を求めるものであり、ポートフォリオに組み込まれた金融商品のベータ価の分布を分析するものではなかった。
ベータ値の分布を分析していないので、分布に基づいて求まる指標、例えば尖度の値を活用するものもなかった。
【０００３】
以上に述べたとおり、ベータ値の分布に基づく金融ポートフォリオ分析システムは知られていなかった。
【先行技術文献】
【特許文献】
【０００４】
【特許文献１】特開２００６−１９０３４４号公報
【特許文献２】特表２００８−５４１２７１号公報
【非特許文献】
【０００５】
【非特許文献１】「β」：http://www.nomura.co.jp/terms/japan/he/beta.html
【非特許文献２】「ポートフォリオとリスク分散」：http://www.nsspirit-cashf.com/manage/port_risk.html
【発明の概要】
【発明が解決しようとする課題】
【０００６】
解決しようとする問題点は、ベータ値の分布に基づく金融ポートフォリオ分析システムを提供し、金融ポートフォリオのリスク低減を実現することである。
【課題を解決するための手段】
【０００７】
本発明の金融ポートフォリオ分析システムは、
２以上の金融商品を組み合わせた金融ポートフォリオについて、
前記金融商品について基準値に対するベータ値を計算するベータ値計算手段と、
前記ベータ値の分布図を棒グラフとして表示するヒストグラム表示手段と、
２以上の金融商品について全体としてのベータ値（総合ベータ値）を計算する総合ベータ値計算手段とを備え、
前記ヒストグラム表示手段における棒グラフの棒の長さは前記金融ポートフォリオに組入れられた各金融商品の時価総額に比例し、
前記総合ベータ値計算手段は、各金融商品の指標値に対するベータ値を、前記２以上の金融商品のそれぞれが前記金融ポートフォリオに組入れられた時価総額によって加重平均した値を総合ベータ値とすることを特徴とする。
ベータ値がヒストグラムとして表示されるので、ファンドマネージャは、どういうベータ値の金融商品をどの程度保有しているかを容易に理解することができる。また、総合ベータ値によってポートフォリオ全体のベータ値を知ることができる。
ここで、「金融商品」とは、株式、先物、オプション、転換社債等、市場取引において値動きがあり、売買によって利益（または損失）を得ることができるものを言う。
ベータ値は、過去のｎ時点における基準値及び金融商品の価格に基づき、以下の式により求めることができる。
【数１】
2012168599.tif 000003
ｉは金融商品を表す添字、ｔは時点を表す添字であり、ｂｔは時点ｔにおける基準値、ｐｉｔは時点ｔにおける金融商品ｉの価格、βｉは金融商品ｉのベータ値である。ｔの値は現在から過去に向けて増加するものとし、ｂ0及びｐｉ0はそれぞれ最新の基準値及び金融商品ｉの価格である。
総合ベータ値は、ポートフォリオ全体のベータ値であり、以下の式により求めることができる。
【数２】
2012168599.tif 000004
βは、総合ベータ値である。ｖｉは、金融商品ｉの保有数量である。ｐｉ０ｖｉは金融商品ｉのポートフォリオに組み入れられた時価総額となり、総合ベータ値は、各金融商品のベータ価をポートフォリオに組入れられた時価総額によって加重平均した値となっている。
【０００８】
本発明の金融ポートフォリオ分析システムは、
前記金融商品を前記金融ポートフォリオに買建で組入れられたものと売建で組入れられたものとに分割し、
前記ヒストグラム表示手段は前記買建で組入れられた金融商品と前記売建で組入れられた金融商品とについてそれぞれのヒストグラムを表示し、
前記総合ベータ値計算手段は前記買建で組入れられた金融商品と前記売建で組入れられた金融商品とについてそれぞれの総合ベータ値を計算することを特徴とする。
ポートフォリオには、その金融商品の値上がりによって利益を受ける買建と、その金融商品の値下がりによって利益を受ける売建との双方を組み合わせて損失リスクを軽減する運用形式がある。この場合、売建の金融商品についてｖｉ  をマイナスの値とすることにより、ヒストグラムの表示及び総合ベータ値の計算が可能である。
しかし、このような計算では、買建の金融商品と売建の金融商品が相殺すると、ヒストグラムの表示における棒の長さが金融ポートフォリオに実際に組み込まれた時価総額よりも短くなってしまう。この場合に、ヒストグラムから保有時価総額を読み取ることが困難になってしまう。
そこで、買建及び売建のそれぞれについてのヒストグラムを表示することにより、保有する金融商品の時価総額を視覚的に把握しやすいようにする。合わせて、総合ベータ値も買建及び売建のそれぞれについて計算する。
【０００９】
本発明の金融ポートフォリオ分析システムは、
前記ベータ値として前記基準値が異なるもの又は前記基準値が同一で計算対象期間が異なるものを２種以上持ち、
前記ヒストグラム表示手段は前記２種以上のべータ値の全て又は一部についてそれぞれのヒストグラムを表示し、
前記総合ベータ値計算手段は前記２種以上のべータ値についてそれぞれの総合ベータ値を計算することを特徴とする。
基準値は、市場全体の動向を示す指標或いは市場全体に影響を与え得る指標である。日本企業の株式を取引する場合には、日経平均株価が基準値として代表的なものである。この他にも、日本円と米ドルとの間の為替レート、原油の取引価格などが基準値になると考えられる。
ファンドマネージャの立場では、いずれの基準値の変動に対してもリスク管理を行いたい。すなわち、いずれの基準値に対しても総合ベータ値をゼロに近づけたいと考えることが多い。金融ポートフォリオ分析システムは、２種類以上の基準値についてのヒストグラムの表示及び総合ベータ値の計算を並行して行うことで、ファンドマネージャのかかる要望に応えることができる。
【００１０】
本発明の金融ポートフォリオ分析システムは、
前記各金融商品の時価総額及び／又は前記ヒストグラム表示手段における棒グラフの棒の長さをユーザが入力するシミュレーション手段を備え、
前記ヒストグラム表示手段は前記シミュレーション手段によって入力された値を前記金融ポートフォリオに組入れられた各金融商品の時価総額とみなしてヒストグラムを表示し、
前記総合ベータ値計算手段は前記シミュレーション手段によって入力された値を前記金融ポートフォリオに組入れられた各金融商品の時価総額とみなして総合ベータ値を計算することを特徴とする。
ファンドマネージャは、金融ポートフォリオの現時点におけるリスクの把握に加えて、将来に金融商品を購入又は売却する場合のリスクの予測も行いたい。シミュレーション手段は、この予測を実現する。
金融商品の時価総額を入力してのシミュレーションでは、ファンドマネージャが想定する金融商品の売買について、直接的にヒストグラム及び総合ベータ値の変化を見ることができる。
棒グラフの棒の長さを入力してのシミュレーションでは、売買対象の金融商品を指定せずに特定のベータ値を持つ金融商品の保有時価総額を変化させた場合の総合ベータ値等の変化を見ることができる。売買対象の金融商品についての決断を先延ばしにしてシミュレーションを行い、売買対象の金融商品をシミュレーションの後で選択するということが可能になる。
【００１１】
本発明の金融ポートフォリオ分析システムは、
前記ベータ値の分布に基づいて計算されるリスク指標値を計算して表示するリスク指標値表示手段を備えることを特徴とする。
「リスク指標値」とは、何らかの視点で見て、その指標値が大きい場合（又は適正値から大きくはずれている）場合にリスクが大きいと考えられるような指標値である。ベータ値の分布に基づくものとしては、（１）ベータ値が所定の値（例えば２）よりも大きいような金融商品の保有比率、（２）ベータ値が所定の値（例えば０．５）よりも小さいような金融商品の保有比率、（３）上記（１）と（２）を組み合わせ、ベータ値が所定の範囲にないような金融商品の保有比率、（４）ベータ値の分布の標準偏差、（５）ベータ値の分布の歪度、尖度、その他の高次モーメント値が考えられる。基準値を日経平均株価として考えると、ベータ値が１．０から大きく離れた金融商品には、その金融商品に固有のリスクがあると考えられるためである。金融ポートフォリオ分析システムがこの指標値を計算して表示することにより、ファンドマネージャは有効な情報を容易に得ることができる。
２種以上の基準値を用いる場合には、基準値によって異なるリスク指標値を用いることもできる。
【００１２】
本発明の金融ポートフォリオ分析システムは、
前記各金融商品の時価総額及び／又は前記ヒストグラム表示手段における棒グラフの棒の長さをユーザが入力するシミュレーション手段を備え、
前記リスク指標値表示手段は前記シミュレーション手段によって入力された値を前記金融ポートフォリオに組入れられた各金融商品の時価総額とみなしてリスク指標値を計算して表示することを特徴とする。
総合ベータ値等と合わせ、リスク指標値についてもシミュレーションを可能にする。
【００１３】
本発明の金融ポートフォリオ分析システムは、
前記リスク指標値は前記ベータ値の分布の尖度値であることを特徴とする。
リスク指標として、尖度値は、いわゆるＦａｔ−ｔａｉｌの指標として広く使用されている。尖度値は、分布が正規分布から外れている度合いを示す指標となる。
金融商品が日本企業の株式であり、基準値が日経平均株価である場合を例に説明する。日経平均株価は市場全体の株価動向を示すので、ある金融商品に固有の事情がまったくないならば、その金融商品の株価の変化率は日経平均株価の変化率と同じである、すなわちベータ値は１．０であると考えられる。それぞれの金融商品に固有の事情が発生してベータ値を１．０から乖離させる要因となる。ベータ値の計算に長期にわたる価格変動のデータを用いるならば、各回のベータ値の乖離は他のデータによって希釈化され全体のベータ値を支配することはない。したがって、固有の事情が発生することによるベータ値の変動を確率的な現象として取扱うことが可能であり、中心極限定理により多数の金融商品の全体としてのベータ値の分布は、平均を１．０とする正規分布になると考えられる。換言すれば、ベータ値は、それぞれの金融商品についていわゆるボラティリティを表す指標であり、金融商品のボラティリティの大小の分布は正規分布すると考えられる。
ファンドマネージャは金融商品をランダムに選定するものではないので、ファンドマネージャが選定した金融商品についてのベータ値の分布は、必ずしも正規分布にはならない。しかし、正規分布から大きく乖離した分布になる場合には、（１）ベータ値が１．０から大きく乖離した（ボラティリティが極度に大きい又は小さい）金融商品の組込比率が高く、金融商品に固有の事情が発生する確率が高いというリスクが高い、（２）ベータ値が１．０に近い金融商品の組込比率が高く、日経平均株価とは別の要因（例えば金利の変動）による利益を得られないというリスクが高い、といったリスクを内包していることとなる。
したがって、分布が正規分布から外れている度合いを示す指標である尖度は、ベータ値の分布についても有効なリスク指標である。
以上、基準値が日経平均株価でありベータ値が正規分布すると考えられる場合について説明したが、他の基準値についてもベータ値の分布が正規分布から外れている度合いを示す尖度値は、ファンドマネージャの想定するベータ値の分布との乖離、すなわちリスクの指標となり得る。
ここで、時価総額を加重した分布に対する尖度は、例えば以下の式で求めることができる。
【数３】
2012168599.tif 000005
ｋは尖度、σは以下の式で示されるベータ値についての時価総額で加重した標準偏差である。
【数４】
2012168599.tif 000006
なお、数３において第２項の「−３」は正規分布のときに尖度がゼロとなるための調整項であり、必ずしも必要ではない。
【発明の効果】
【００１４】
本発明の金融ポートフォリオ分析システムは、ベータ値の分布に基づく金融ポートフォリオ分析システムを提供し、金融ポートフォリオのリスク低減を実現するという効果を有する。特に、必要に応じて買建と売建を分割して表示し、尖度等のリスク指標を表示してファンドマネージャのリスク管理を容易にする。また、ファンドマネージャによるシミュレーションを可能にする。
【図面の簡単な説明】
【００１５】
【図１】図１は、金融ポートフォリオ分析システムを含む構成を示す図である。
【図２】図２は、価格データの例を示す図である。
【図３】図３は、ポートフォリオデータの例を示す図である。
【図４】図４は、ヒストグラム表示手段が表示する画面の例を示す図である。
【図５】図５は、シミュレーション手段が表示する画面の例を示す図である。
【図６】図６は、時価総額更新の際にシミュレーション手段が表示する画面の例を示す図である。
【図７】図７は、ヒストグラム表示手段が表示する画面の例を示す図である。
【図８】図８は、表示すべきベータ値の分布を選択する画面の例を示す図である。
【発明を実施するための形態】
【００１６】
以下、本発明の実施例を示す。
【実施例１】
【００１７】
図１は、金融ポートフォリオ分析システムを含む構成を示す図である。
金融ポートフォリオ分析システム１及び金融商品売買システム２が、ネットワーク３を介して接続されている。金融ポートフォリオ分析システム１は、本発明のシステムである。金融商品売買システム２はネットワーク３を介して金融商品の売買を実行するシステムであり、証券取引所のシステムに接続された証券会社のコンピュータシステム、該コンピュータシステムに接続された証券会社の顧客のパーソナルコンピュータ上のシステム（インターネットブラウザ上で動作するシステムを含む）を含む。ネットワーク３は広範に用いられるインターネットである。ここで、金融ポートフォリオ分析システム１及び金融商品売買システム２については、別々のコンピュータ上で動作しても１台のコンピュータ上で両システムが動作してもよい。
【００１８】
金融ポートフォリオ分析システム１には、価格データ１１及びポートフォリオデータ１２が保持され、ベータ値計算手段１３、総合ベータ値計算手段１４、ヒストグラム表示手段１５及びシミュレーション手段１６が設けられている。なお、金融ポートフォリオ分析システム１の各要素は必ずしも１台のコンピュータに設けられている必要はなく、ネットワークを介して接続された２台以上のコンピュータに分散して設けられてもよい。特に、価格データ１１及びベータ値計算手段１３については、証券会社のコンピュータシステムである金融商品売買システム２に設けられていることが考えられる。この場合、金融ポートフォリオ分析システム１の他の要素の設けられたコンピュータから証券会社のコンピュータシステム上のデータを読み取ること及び関数を呼び出すことができる。
【００１９】
図２は、価格データの例を示す図である。ベータ値を計算するために、価格データは時系列で保持される必要がある。本実施例では、１日につき１回、各日の終値を価格データとして保持する。図には、２日分を表示してある。なお、終値でなく高値と安値の平均等の他の値を用いることも、１日につき２回以上の価格（例えば、１時間ごとの価格）を用いることも、本発明の範囲で行える。
価格データとしては、基準値のデータと個別商品のデータを保持する。基準値としては、日経平均、米ドル（日本円と米ドルとの為替レート）、原油価格（例えばニューヨークの取引所における原油先物の価格）等が考えられる。個別商品としては、株式、転換社債、日経平均先物等の基準値に係る先物並びにオプションを含む。
ここで、基準値のうち、例えば「米ドル」は世界の多くの市場で取引され常に値動きしているため、「終値」の概念がないとも考えられる。しかし、ベータ値の計算のためには、個別商品と同時刻の価格がわかることで十分であり、例えば個別商品の終値を日本時間の午後３時時点の価格とするならば、米ドルについても日本時間の午後３時時点の価格を用いればよい。
基準値に係る価格データも、個別商品に係る価格データも、金融商品売買システム２から取得して価格データ１１に保持することができる。なお、図では金融商品売買システム２から価格データ１１に向けて直接に矢印が記されているが、プログラムの実装としては、金融商品売買システム２から価格データを取得して価格データ１１を更新するプログラムが、終値が確定する午後３時の直後に動作する。
【００２０】
図３は、ポートフォリオデータの例を示す図である。ポートフォリオに含まれる金融商品について、時価総額、保有数量及び各基準値に対するベータ値が保持されている。
ここで、時価総額は、保有数量にその商品の価格（価格データに含まれる）を乗算して求められる。また、ベータ値は、上記数１に示す数式により求められるが、ｎの値（どれだけの期間にわたり過去に遡ったデータを使用するか）に依存して値が変動し得るので、１つの基準値について「３月にわたり遡ったデータによるもの」「２年にわたり遡ったデータによるもの」のように、ベータ値対象期間の異なる２つ以上のベータ値を保持することも考えられる。
【００２１】
保有数量の値は、売買注文の約定によって変動する。そこで、金融商品売買システム２から約定した売買の情報を取得しポートフォリオデータ１２を更新するプログラムが、常時動作している。また、約定した売買の情報に加えて、発注して未約定の売買の情報も取得可能である。
ベータ値計算手段１３は、終値が確定する午後３時の直後に動作し、各金融商品に係る各基準値及びベータ値対象期間の組み合わせについて、価格データ１１を用いて数１によってベータ値を計算し、ポートフォリオデータ１２のベータ値を更新する。
【００２２】
図４は、ヒストグラム表示手段が表示する画面の例を示す図である。本実施例では、日経平均に対するベータ値（ベータ値対象期間は２年）のヒストグラムが示されている。保有されている商品が、そのベータ値によって図に示すように０．２刻みに区分され、各区分に属する金融商品の時価総額の合計が計算されて、時価総額欄４１に表示されている。なお、ベータ値の刻みは０．２でなくてもよく、例えば０．１とする等、ポートフォリオの特性に対応して設計できる。
ヒストグラム表示手段１５は、ポートフォリオデータ中の日経平均（２年）のベータ値及び時価総額に基づいてこの計算を実行し、図に示すように各区分に属する金融商品の時価総額の合計をヒストグラム４２として表示する。ファンドマネージャは、このヒストグラムを見てポートフォリオ全体のリスクを把握することができる。
総合ベータ値計算手段１４は、数２に従って総合ベータ値を計算し、総合ベータ値表示４３を行う。合わせて、ヒストグラム４１の座標軸（図においては縦方向）において総合ベータ値を示す矢印４４を表示する。
ヒストグラム表示手段１５は、数３に従って尖度を計算し、尖度表示４４を行う。ファンドマネージャは、尖度表示４５を見てポートフォリオ全体のリスクを把握することができる。尖度表示４５の値が小さいほど、いわゆるＦａｔ−ｔａｉｌが大きいことになる。なお、尖度表示４５に替えて他のリスク指標、例えば以下の式に示すようにベータ値が所定の範囲にない金融商品の保有比率ｒを表示することもできる。式は、βの値が０．５〜１．５の範囲にない金融商品の保有比率を求めるものである。
【数５】
2012168599.tif 000007
【００２３】
ファンドマネージャは、リスク軽減その他の目的で、保有する金融商品を売却する又は新たな金融商品を購入（保有する金融商品の買い増しを含む）することがある。この場合、売却又は購入の発注の後、実際に売却又は購入が行われる（約定）までの間には時差が発生する。特に、売却価格又は購入価格を指定したいわゆる指値の注文においてはかかる時差が発生すると考えられる。
この時差の時間帯において、金融商品売買システム２から約定したことの情報がまだ入力されていないため、ポートフォリオデータ１２は、約定前の状態の保有資産に係るものである。しかし、ファンドマネージャは約定するものとみなして約定後のポートフォリオについてのリスクを評価したい場合が多い。
ファンドマネージャが注文分取込ボタン４６を押すと約定後のポートフォリオに関するヒストグラム、総合ベータ値及び尖度が表示され、注文分除外ボタン４７を押すと約定前のポートフォリオに関するヒストグラム、総合ベータ値及び尖度が表示される。具体的には、注文分取込ボタン４６が押された場合には金融商品売買システム２から未約定の売買の情報を取得し、その数量をポートフォリオデータ１２の保有数量から加減した値に基づいてヒストグラム、総合ベータ値及び尖度を表示する。注文分除外ボタン４７が押された場合には未約定の売買の情報を使用せずにポートフォリオデータ１２の値に基づいてヒストグラム、総合ベータ値及び尖度を表示する。
【００２４】
図５は、シミュレーション手段が表示する画面の例を示す図である。図４に示したものに加え、金融商品シミュレーションウインドウ５１が表示されている。シミュレーション開始時には、金融商品シミュレーションウインドウ５１にポートフォリオデータ１２の内容が表示される。ファンドマネージャは、各金融商品の売買を想定して、金融商品シミュレーションウインドウ５１の保有数量の欄を更新することができる。現在保有していない金融商品を購入することをシミュレーションする場合には、金融商品シミュレーションウインドウ５１に行を追加して、その金融商品の商品名（システムの設計として商品名でなく商品コードとしてもよい）及び保有数量（購入予定数量）を入力すればよい。時価総額及びベータ値は、価格データに基づいて計算することができる。
シミュレーション手段１６は、ヒストグラム表示手段１５を呼び出して、更新された金融商品の保有数量に基づくヒストグラム、総合ベータ値及び尖度を表示させる。なお、ヒストグラム更新手段をＥＸＣＥＬ等の表計算ソフトウェアによって実装する場合、時価総額欄４２を金融商品シミュレーションウインドウ５１内のデータに基づく数式によって定義することで、ファンドマネージャによる更新に対して自動的にヒストグラムを更新することができる。
【００２５】
ファンドマネージャは、金融商品シミュレーションウインドウ５１の保有数量を更新することに替えて、ヒストグラム表示手段１５の表示する時価総額欄４１を更新することもできる。購入又は売却する具体的な金融商品を指定せずにベータ値の分布に基づくリスクをシミュレーションするためである。ヒストグラム表示手段１５は、更新された時価総額に基づくヒストグラム、総合ベータ値及び尖度を表示する。これは、表計算ソフトウェアによれば容易に実装することができる。この際、時価総額が更新されたベータ値範囲について、実際に購入又は売却される銘柄のベータ値が範囲内でいずれの値であるか不定であるので、その範囲の中央値に等しいベータ値を持つ銘柄が、更新された時価総額の分だけポートフォリオから増減されたものとして近似計算を行う。
多くの場合、同じベータ値範囲の区分に属する２以上の金融商品がポートフォリオに含まれており、時価総額欄４１の更新に基づいてシステムが金融商品シミュレーションウインドウ５１の保有数量を更新することはできない。いずれの金融商品を購入又は売却するかが定められないからである。図６は、時価総額更新の際にシミュレーション手段が表示する画面の例を示す図である。このように、金融商品シミュレーションウインドウ５１において時価総額が更新された区分に属する金融商品を識別して表示する。ファンドマネージャは、シミュレーションの結果であるベータ値の分布を実現して詳細なシミュレーション結果を見たい場合には、金融商品シミュレーションウインドウ５１の保有数量を更新して、前に更新した時価総額欄４１の値に合わせることができる。その後、反映ボタン５２を押すことにより、ヒストグラム表示手段１５が更新された金融商品の保有数量に基づくヒストグラム、総合ベータ値及び尖度を表示する。
【実施例２】
【００２６】
本実施例は、買建と売建とを別々に表示するものである。システムの構成は、実施例１と同様である。ヒストグラム表示手段１５による表示が実施例１と異なるので、この点を中心に説明する。
【００２７】
図７は、ヒストグラム表示手段１５が表示する画面の例を示す図である。実施例１（図４）と異なる点は、時価総額、ヒストグラム、総合ベータ値及び尖度が買建と売建のそれぞれに表示されている点である。ヒストグラムは、右に買建のものが、左に売建のものが表示されている。
ファンドマネージャは、買建と売建のそれぞれについての情報を見ることができ、詳細なリスク管理が可能になる。例えば、買建と売建との総合ベータ値をほぼ一致させてポートフォリオ全体として基準値の上昇にも下降にも頑健にしたい、買建と売建のそれぞれについての尖度を比較して買建と売建のリスクの高い方について対応を取りたいという要望に対応することができる。図７では、売建の分布の裾が広く（いわゆるＦａｔ−Ｔａｉｌの状態であり）、買建よりも売建のリスクが大きいことが、尖度の値から分かる。売建の尖度が買建よりも大きなマイナスの値となっているからである。
【００２８】
シミュレーション手段１６は、実施例１と同様に、ファンドマネージャによる金融商品シミュレーションウインドウ５１の保有数量の更新及びヒストグラム表示手段１５の表示する時価総額欄４１の更新を受けて、ヒストグラムを表示する。
この際、金融商品シミュレーションウインドウ５１の保有数量は、買建についてはプラス、売建についてはマイナスの値を表示して買建と売建とを区別した表示にできる。
【００２９】
実施例１にはない売買均等化ボタン４８が設けられている。このボタンを押すことによって行われる金融ポートフォリオ分析システム１の動作及びその意義について以下説明する。
売買均等化ボタン４８が押されると、金融ポートフォリオ分析システムは、買建と売建との時価総額を比較し、時価総額が小さいほうについて、買建と売建との時価総額の差だけの日経平均先物を買った（又は売った）ものとみなし買建と売建との時価総額が等しくなるようにしてヒストグラム表示手段１５による表示を行う。例えば、買建の時価総額が７０億円であり売建の時価総額が１００億円である場合には、差額の３０億円分の日経平均先物を買ったものとしてヒストグラム表示手段１５による表示を行う。
ファンドマネージャは、買建と売建との時価総額をほぼ等しくして、市場全体（日経平均）の値動きに対するリスクを小さくしようとすることが多い。買建及び売建の金融商品の選定及び各金融商品の時価総額はファンドマネージャの検討の結果である。したがって、買建と売建との時価総額を等しくするためには、個別の金融商品でなく市場全体の値動きに対応する日経平均先物を買う（又は売る）ことによることが多い。そこで、この日経平均先物の売買による買建と売建の時価総額均等化を考慮したシミュレーションを行うものである。なお、日経平均先物はベータ値がほぼ１．０であり、その売買によって、買建又は売建の総合ベータ値が１．０に近づき、尖度が増す。この場合の総合ベータ値及び尖度を見ることは、Ｆａｔ−ｔａｉｌ性を判断することができるため、ファンドマネージャにとって重要である。
【実施例３】
【００３０】
本実施例は、ベータ値の分布を２つ以上表示するものである。システムの構成は、実施例１及び２と同様である。
【００３１】
図８は、表示すべきベータ値の分布を選択する画面の例を示す図である。ファンドマネージャは、表示すべきベータ値を、基準値及びベータ値対象期間を指定して選択することができる。図において、表示すべきものは○、その他のものは×で表されている。表計算ソフトによって実装する場合には、この表に○又は×を書き込ませる。アプリケーションとして実装する場合には、マウスのクリックによって○と×が入れ替わるようにしてもよい。
ヒストグラム表示手段１５は、選択された個々のベータ値の分布については図７と同様の表示を行う。選択された２以上のベータ値の分布を１画面に表示することが一覧性の点で好ましいが、１画面内に入りきらない場合等には２以上のウインドウを使用して表示し、ウインドウを切り替えて見るようにしてもよい。異なる基準値、例えば日経平均、米ドル及び原油価格の３つの基準値についてベータ値の分布を表示することで、多くの基準値の変動に対するリスク管理が可能となる。また、同じ基準値に係る異なるベータ値対象期間についてベータ値の分布を表示することで、ベータ値の安定性を推測することができる。
【００３２】
シミュレーション手段の動作は実施例１と同様である。反映ボタン５２が押された時には、選択されたベータ値の分布の全てについて、更新された金融商品の保有数量に基づくヒストグラム、総合ベータ値及び尖度が表示される。
ファンドマネージャは、以下の操作によって、全てのベータ値の分布についてのリスクを軽減することが可能になる。（１）リスクがあると考えるベータ値の分布について、リスクを軽減するようにヒストグラム表示手段１５の表示する時価総額欄４１を更新する。（２）金融商品シミュレーションウインドウ５１において識別して表示された金融商品の保有数量を更新して上記時価総額欄４１の更新と整合させる。（３）反映ボタン５２を押して全てのベータ値の分布を表示する。以上の（１）〜（３）を全てのベータ値の分布についてのリスクが軽減されるまで繰り返す。
【産業上の利用可能性】
【００３３】
本発明の金融ポートフォリオ分析システムは、ベータ値の分布に基づく金融ポートフォリオ分析システムを提供し、金融ポートフォリオのリスク低減を実現し、ファンドマネージャのリスク管理を容易にするものであり、多くのファンドマネージャに利用されることが期待される。
【符号の説明】
【００３４】
１    金融ポートフォリオ分析システム
１１  価格データ
１２  ポートフォリオデータ
１３  ベータ値計算手段
１４  総合ベータ値計算手段
１５  ヒストグラム表示手段
１６  シミュレーション手段
２    金融商品売買システム
３    ネットワーク
４１  時価総額欄
４２  ヒストグラム
４３  総合ベータ値表示
４４  総合ベータ値を示す矢印
４５  尖度表示
４６  注文分取込ボタン
４７  注文分除外ボタン
４８  売買均等化ボタン
５１  金融商品シミュレーションウインドウ
５２  反映ボタン
【図１】
2012168599.tif 000008
【図２】
2012168599.tif 000009
【図３】
2012168599.tif 000010
【図４】
2012168599.tif 000011
【図５】
2012168599.tif 000012
【図６】
2012168599.tif 000013
【図７】
2012168599.tif 000014
【図８】
2012168599.tif 000015